(57)【特許請求の範囲】
【請求項１】
一対の外壁片間に目地材が設けられ、この一方の外壁片が展示台に固定されるとともに、他方の外壁片にはハンドルが設けられ、ハンドルを引っ張ることで、外壁片間に設けられた目地材を引き伸ばして目地材の性能を体感できるようになされたことを特徴とする目地強度体験装置。
【請求項２】
複数の外壁片間に目地材が設けられ、一端の外壁片と他端の外壁片との間には、これら外壁片間を引き離して目地材を引き伸ばすことができるようになされた引っ張り試験装置による引っ張り応力が加えられるようになされるとともに、この引っ張り試験装置による引っ張り強度を表示する表示計が設けられてなる機械式目地強度体験装置が併設された請求項１記載の目地強度体験装置。
【請求項３】
外壁片の離隔による目地材の伸びを確認できる定規が設けられた請求項１または２記載の目地強度体験装置。
【発明の詳細な説明】
【０００１】
【発明の属する技術分野】
本発明は、住宅における外壁間に設けられる目地材の強度を体験することができる展示装置に関するものである。
【０００２】
【従来の技術】
工業化住宅において、躯体に外壁パネルを固定する場合、強固に固定してしまうと、震災時などの躯体の変位によって外壁パネルが破壊されてしまうこととなる。そこで、この躯体の変位に対して外壁パネルが追従して動くように、躯体に外壁パネルをぶら下げたようにして固定するカーテンウォール構造の外壁構造が提案されている。
【０００３】
また、このような外壁パネルの目地間には、目地材が設けられている。この目地材は、上記したような外壁パネルの動きによって引き延ばされても大丈夫なように、充分な伸縮性と耐久性とを備えたものが使用されている。
【０００４】
従来より、この目地材の使用による優位性を住宅の購入予定者に知らせる場合、目地材の組成や物性を、住宅建物のカタログに図解で説明したり、展示住宅に訪れた購入予定者に、口頭で説明したりしていた。
【０００５】
【発明が解決しようとする課題】
しかし、図解や口頭で説明する場合、目地材の組成や物性が理解できても、物性通りの性能が発揮されているのか否かが明確ではなく、その良さを実感できないといった不都合を生じることとなる。
【０００６】
また、図解や口頭で説明する場合、容易に理解してもらいにくく、説明に時間がかかって煩わしくなる。
【０００７】
さらに、その時は理解できていても、その良さを印象づけることができないといった不都合を生じる。
【０００８】
本発明は、係る実情に鑑みてなされたものであって、目地材の良さを容易に把握でき、その良さを印象づけることができる目地強度体験装置を提供することを目的としている。
【０００９】
【課題を解決するための手段】
上記課題を解決するための本発明の目地強度体験装置は、一対の外壁片間に目地材が設けられ、この一方の外壁片が展示台に固定されるとともに、他方の外壁片にはハンドルが設けられ、ハンドルを引っ張ることで、外壁片間に設けられた目地材を引き伸ばして目地材の性能を体感できるようになされたものである。
【００１０】
この構成によると、実際にハンドルを引っ張って目地材を引き延ばすことで、目地材の伸縮性や強度を体感することができる。
【００１１】
また、上記課題を解決するための本発明の目地強度体験装置は、上記目地強度体験装置に、複数の外壁片間に目地材が設けられ、一端の外壁片と他端の外壁片との間には、これら外壁片間を引き離して目地材を引き伸ばすことができるようになされた引っ張り試験装置による引っ張り応力が加えられるようになされるとともに、この引っ張り試験装置による引っ張り強度を表示する表示計が設けられた機械式目地強度体験装置が併設されてなるものである。
【００１２】
この構成によると、目地強度体験装置によって目地材がどの程度の応力でどの程度伸びるものであるかを身を持って体感するとともに、併設された機械式目地強度体験装置の引っ張り試験装置によって目地材を引き延ばし、その時の引っ張り強度を表示計に表示することで、目地材の伸縮性や強度を目視で確認することができる。
【００１３】
さらに、上記目地強度体験装置において、外壁片の離隔による目地材の伸びを確認できる定規が設けられたものである。
【００１４】
この構成によると、目地材の伸縮性を目視で確認することができる。
【００１５】
【発明の実施の形態】
以下、本発明の実施の形態を図面を参照して説明する。
【００１６】
図１は目地強度展示装置１の全体構成の概略を示し、図２および図３は同要部を示している。
【００１７】
すなわち、この目地強度展示装置１は、手動式目地強度体験装置１ａと機械式目地強度体験装置１ｂとからなり、機械式目地強度体験装置１ｂの装置本体６０の展示面６０ａの横に手動式目地強度体験装置１ａが併設されている。
【００１８】
手動式目地強度体験装置１ａは、図１および図２に示すように、一対の外壁片２，２間に目地材３が設けられ、この一方の外壁片２が展示台４に固定されるとともに、他方の外壁片２にはハンドル５が設けられ、ハンドル５を引っ張ることで、外壁片２，２間に設けられた目地材３を引き伸ばして目地材３の性能を体感できるようになされている。
【００１９】
展示台４は、その上に固定板４１と滑動板４２とを設けて構成されている。固定板４１は、展示台４にボルト固定されており、滑動板４２は、展示台４上に設けられた二本のレール４３に沿って固定板４１に隣接した位置と離隔した位置とを矢符Ａ方向に滑動可能となされている。固定板４１は、その上下に透明板からなる保護板４４が設けられている。この保護板４４は、固定板４１に対して滑動板４２が滑動することによって固定板４１と滑動板４２との間に指を挟んだりしないようになされている。滑動板４２は、レール４３に沿って固定板４１から離隔する方向にハンドル５が設けられている。また、滑動板４２の上部には、矢印４５が設けられている。この矢印４５は、展示台４の上部に設けられた定規４６を指すようになされており、この定規４６の数値から滑動板４２がどれだけ移動したかを数値的に容易に把握することができるようになされている。
【００２０】
外壁片２は、表面に外壁模様２１が設けられ、実際に住宅建物に使用されている外壁を１００ｍｍ×１００ｍｍの大きさに切断したものが使用される。この外壁片２の一方は、展示台４に固定された固定板４１に、ボルト２２で固定される。また、他方の外壁片２は、滑動板４２にボルト２２で固定される。この状態で互いに隣接する外壁片２，２同士の間隙には、実際に住宅に使用されている目地材３が設けられる。この目地材３は、変成シリコーンシーリング材で、約１１ｍｍの幅で外壁片２の厚み全体に外壁片２の長さ全体の約１００ｍｍにわたって設けられる。
【００２１】
このようにして構成される手動式目地強度体験装置１ａは、図４に示すように、ハンドル５を手で持って固定板４１から滑動板４２が離隔する方向に引っ張ることで、それぞれに固定された外壁片２，２が離隔し、これに伴ってこれら外壁片２の間に設けた目地材３が引き伸ばされることとなる。この際、目地材３を引き伸ばすのに要する応力は、ハンドル５を手でもって引き伸ばしているので実際に体感することができる。また、この際、目地材３が伸びる様子は、目で見ることができ、定規４６を指す矢印４５を見ておけば、目地材３がどの程度伸びたかを数値的に知ることもできる。
【００２２】
機械式目地強度体験装置１ｂは、図１および図３に示すように、三枚の外壁片２，２，２のそれぞれの間隙に目地材３が設けられ、両端の外壁片２，２の間には、引っ張り試験装置６による引っ張り応力が加えられるようになされ、これら外壁片２，２，２の横には、この引っ張り試験装置６による引っ張り強度を表示する表示計６１が設けられている。
【００２３】
引っ張り試験装置６は、装置本体６０内に設けられている。この引っ張り試験装置６は、コンプッサーポンプ（図示省略）と、このコンプレッサーポンプ（図示省略）によって作動するエアシリンダ（図示省略）とを備えている。また、装置本体６０の展示面６０ａには、このエアシリンダ（図示省略）に作動圧を加えるバルブスイッチ６２と、作動圧を微調整するダイヤルゲージ６３と、作動圧を表示する表示計６１とが設けられている。作動圧は、１００ｋｇｆ／cm3 に設定されており、ダイヤルゲージ６３の調整により、２５０ｋｇｆ／cm3 まで上げることができるようになされている。また、この展示面６０ａには、装置本体６０内のエアシリンダ（図示省略）の伸縮方向と平行するように、二本のレール６４が設けられている。このレール６４には、二枚の滑動板６５，６５が設けられており、エアシリンダ（図示省略）は、伸縮することによって、この滑動板６５，６５をレール６４にそって滑動させることができるようになされている。また、展示面６０ａには、これら滑動板６５，６５の間に位置するように固定板６６が設けられている。したがって、滑動板６５，６５は、この固定板６６の両側で、固定板６６の両側に隣接した位置と、離隔した位置との間を矢符Ｂ方向に滑動可能となされている。この固定板６６は、その上下に透明板からなる保護板６７が設けられている。この保護板６７は、固定板６６の両側で滑動板６５，６５が滑動することによって固定板６６と滑動板６５，６５との間に指を挟んだりしないようになされている。滑動板６５，６５の上部には、矢印６８が設けられている。この矢印６８は、展示面６０ａの上部に設けられた定規６９を指すようになされており、この定規６９を読み取ることによって、基準位置から滑動板６５，６５がどれだけ移動したかを数値的に容易に把握することができるようになされている。
【００２４】
外壁片２は、上記した外壁片２と同様に、表面に外壁模様２１が設けられ、実際に住宅建物に使用されている外壁を、１５０ｍｍ×１００ｍｍの大きさに切断したものが使用される。これらの外壁片２は、横並びに設けられ、互いに隣接する外壁片２，２，２同士の間隙には、実際に住宅に使用されている目地材３が設けられる。この目地材３は、変成シリコーンシーリング材で、約１１ｍｍの幅で外壁片２の厚み全体に外壁片２の長さ全体の約１５０ｍｍにわたって設けられる。
【００２５】
これらの外壁片２，２，２のうち、真ん中の外壁片２は、固定板６６にボルト２２で固定される。また、両側の外壁片２，２は、滑動板６５，６５にボルト２２で固定される。
【００２６】
このようにして構成される機械式目地強度体験装置１ｂは、図５に示すように、バルブスイッチ６２をオンにすると、エアシリンダ（図示省略）が作動して固定板６６の両側に滑動板６５，６５が離隔することとなり、それぞれに固定された外壁片２，２，２が離隔し、これに伴ってこれら外壁片２，２，２の間に設けた目地材３，３が引き伸ばされることとなる。この際、目地材３を引き伸ばすのに要する応力は、表示計６１で視認することができる。また、この際、目地材３が伸びる様子も、目で見ることができ、定規６９を指す矢印６８を見ておけば、目地材３がどの程度伸びたかを数値的に知ることもできる。また、このようにエアシリンダ（図示省略）によって引き伸ばすことにより、上記した手動式目地強度体験装置１ａでは引き伸ばせない状態まで目地材３を引き伸ばすことができる。加えて、この引き伸ばした状態でダイヤルゲージ６２を調整してエアシリンダ（図示省略）の作動圧を高くすることで、さらに目地材３を極限状態に近い状態まで引き伸ばすことができ、目地材３の非常に優れた性能を実際に確認することができる。
【００２７】
この機械式目地強度体験装置１ｂは、上記した手動式目地強度体験装置１ａとそれぞれ独立して別個に設けられていてもよいが、本実施の形態に示すように、機械式目地強度体験装置１ｂの装置本体６０の展示面６０ａの横に、手動式目地強度体験装置１ａを設けて両者を併設したものであってもよい。この場合、手動式目地強度体験装置１ａによって目地材３がどの程度の応力でどの程度伸びるものであるかを身を持って体感しているので、後に、機械式目地強度体験装置１ｂによって目地材３を引き伸ばした際に、その引き伸ばし応力の凄さを計り知ることができ、それに耐え得る目地材３の優れた性能を容易に理解することができる。
【００２８】
【発明の効果】
以上述べたように、本発明によると、目地材が性能通りに優れていることを、実際に確認してもらうことができる。
【図面の簡単な説明】
【図１】  本発明に係る目地強度体験装置に機械式目地強度体験装置が併設されて構成された目地強度展示装置を示す概略図である。
【図２】  本発明に係る目地強度体験装置の全体構成の概略を示す斜視図である。
【図３】  本発明に係る目地強度体験装置に併設される機械式目地強度体験装置の全体構成の概略を示す部分斜視図である。
【図４】  （ａ）および（ｂ）は、本発明に係る目地強度体験装置によって目地材を引き伸ばす前および引き伸ばした後の状態を示す外壁片および目地材の平面図である。
【図５】  （ａ）および（ｂ）は、本発明に係る目地強度体験装置に併設される機械式目地強度体験装置によって目地材を引き伸ばす前および引き伸ばした後の状態を示す外壁片および目地材の平面図である。
【図１】
0003916960.tif 000002
【図２】
0003916960.tif 000003
【図３】
0003916960.tif 000004
【図４】
0003916960.tif 000005
【図５】
0003916960.tif 000006